【手続補正書】
【提出日】平成20年10月22日(2008.10.22)
【手続補正１】
【補正対象書類名】特許請求の範囲
【補正対象項目名】全文
【補正方法】変更
【補正の内容】
【特許請求の範囲】
【請求項１】
１つ又はより多くの脊柱側湾症に湾曲した脊柱の椎骨を伸延させる装置において、
第一の端部分であって、該第一の端部分を第一の脊柱側湾症の椎骨の後部部分に取り付けるべく第一の締結具を受け入れる第一の受け部を有する前記第一の端部分と、
第二の端部分であって、該第二の端部分を第二の脊柱側湾症の椎骨の後部部分に取り付けるべく第二の締結具を受け入れる第二の受け部を有する前記第二の端部分と、
前記第一の端部分と、前記第二の端部分との間の膨張部分とを備え、
前記第一の受け部及び前記第二の受け部の少なくとも一方は、前記第一の締結具及び前記第二の締結具の少なくとも一方に対する前記第一の端部分及び前記第二の端部分の少なくとも一方の規制された動きを許容する動的接続部を画成する、１つ又はより多くの脊柱側湾症に湾曲した脊柱の椎骨を伸延させる装置。
【請求項２】
請求項１に記載の装置において、前記膨張部分は、前記第一の端部分と接続されたスリーブと、前記第二の端部分と接続されたロッドとを備え、該ロッドは、前記スリーブ内に可動に受け入れられる、装置。
【請求項３】
請求項２に記載の装置において、前記第二の端部分を前記第一の端部分から離れるよう偏倚させるべく前記スリーブ内にばねを更に備える、装置。
【請求項４】
請求項１に記載の装置において、柔軟な組織の内部成長を防止すべく前記膨張部分の少なくとも一部分を取り囲むジャケットを更に備える、装置。
【請求項５】
請求項１に記載の装置において、前記第一の受け部及び前記第二の受け部は各々、前記第一の締結具及び前記第二の締結具をそれぞれ受け入れる形態とされた開口部を備える、装置。
【請求項６】
請求項５に記載の装置において、前記開口部は、前記第一の締結具及び前記第二の締結具が前記開口部内にて所定の程度、動くのを許容する寸法とされる、装置。
【請求項７】
請求項５に記載の装置において、前記開口部は、前記第一の締結具及び前記第二の締結具が前記開口部内にて所定の程度、動くのを許容し得るよう斜角面付きとされる、装置。
【請求項８】
請求項１に記載の装置において、前記第一の受け部及び前記第二の受け部の少なくとも一方は、可動の丸味を付けた部材を受け入れて前記第一の締結具及び前記第二の締結具の一方の動きを許容する形態とされる、装置。
【請求項９】
請求項８に記載の装置において、前記第一の受け部及び前記第二の受け部の少なくとも一方は、前記第一の締結具及び前記第二の締結具の一方の動きを制限するストッパを備える、装置。
【請求項１０】
請求項１に記載の装置において、前記規制された動きは２０°までの規制された動きを画成し、前記第一の受け部及び前記第二の受け部の少なくとも一方は、前記第一の締結具及び前記第二の締結具の前記一方の軸線に対して垂直な軸線の回りにて８°以内の角度に亙って前記第一の締結具及び前記第二の締結具の一方に対して動く形態とされる、装置。
【請求項１１】
請求項１に記載の装置において、前記第一の受け部及び前記第二の受け部の少なくとも一方は、前記第一の締結具及び前記第二の締結具の一方の長さを亙って軸線の回りにて前記第一の締結具及び前記第二の締結具の一方に対して動く形態とされる、装置。
【請求項１２】
請求項１１に記載の装置において、前記膨張部分は、複数の曲がり部を有する薄板ばねを備える、装置。
【請求項１３】
請求項１に記載の装置において、前記膨張部分、前記第一の端部分及び前記第二の端部分は、１つの部片の単一物部材として形成される、装置。
【請求項１４】
請求項１に記載の装置において、前記膨張部分は複数の脚部を有するばねを備える、装置。
【請求項１５】
請求項１に記載の装置において、前記膨張部分は、親水性ゲルを保持する貯蔵器を備える、装置。
【請求項１６】
請求項１５に記載の装置において、前記貯蔵器を取り囲む流体と接続するポートを更に備える、装置。
【請求項１７】
請求項１に記載の装置において、前記膨張部分は、伸延力を提供し得るよう変形可能である弾性材料を備える、装置。
【請求項１８】
請求項１７に記載の装置において、前記弾性材料を取り囲む撚り糸のメッシュを更に備える、装置。
【請求項１９】
請求項１７に記載の装置において、前記弾性材料内に１つ又はより多くの開窓部を更に備える、装置。
【請求項２０】
請求項１７に記載の装置において、前記第一の端部分及び前記第二の端部分の各々は、前記弾性材料の少なくとも一部分を覆うキャップを備える、装置。
【請求項２１】
請求項２０に記載の装置において、前記弾性材料は、キャップをスナップ嵌め状態にて取り付けるスナップ嵌め部分を備える、装置。
【請求項２２】
請求項２０に記載の装置において、前記キャップを前記弾性材料と接続する可撓性のスリーブを更に備える、装置。
【請求項２３】
請求項１に記載の装置において、前記膨張部分は、スライダを受け入れるハウジングを備える、装置。
【請求項２４】
請求項２３に記載の装置において、前記スライダと回転状態に接続されたカムを更に備える、装置。
【請求項２５】
請求項２４に記載の装置において、前記カムを回転するよう偏倚させ、これにより前記スライダが伸びた位置まで動くようにするカムばねを更に備える、装置。
【請求項２６】
１つ又はより多くの脊柱側湾症に湾曲した脊柱の椎骨を伸延させる装置において、
第一の端部分であって、前記第一の端部分を第一の脊柱側湾症の椎骨の後部部分に取り付けるべく第一の締結具を受け入れる第一の受け部を有する前記第一の端部分と、
第二の端部分であって、前記第二の端部分を第二の脊柱側湾症の椎骨の後部部分に取り付けるべく第二の締結具を受け入れる第二の受け部を有する前記第二の端部分と、
前記第一の端部分と、前記第二の端部分との間の膨張部分とを備え、
前記第一の端部分、前記第二の端部分及び前記膨張部分は、全体として１つの部片の単一物の構造にて形成され、
前記第一の受け部及び前記第二の受け部の少なくとも一方は、前記第一の締結具又は前記第二の締結具が実質的一定の向きに保持されたとき、前記第一の端部分及び前記第二の端部分が前記第一の締結具及び前記第二の締結具の一方に対して所定の程度、それぞれ動くのを許容する形態とされる、１つ又はより多くの脊柱側湾症に湾曲した脊柱の椎骨を伸延させる装置。
【請求項２７】
請求項２６に記載の装置において、前記膨張部分の少なくとも一部分を取り囲むジャケットを更に備える、装置。
【請求項２８】
請求項２６に記載の装置において、前記第一の受け部及び前記第二の受け部は各々、前記第一の締結具及び前記第二の締結具をそれぞれ受け入れる形態とされた開口部を備える、装置。
【請求項２９】
請求項２８に記載の装置において、前記開口部は、前記第一の締結具及び前記第二の締結具が前記開口部内にて所定の程度、動くのを許容する寸法とされる、装置。
【請求項３０】
請求項２８に記載の装置において、前記開口部は、前記第一の締結具及び前記第二の締結具が前記開口部内にて所定の程度、動くのを許容し得るよう斜角面付きとされる、装置。
【請求項３１】
請求項２６に記載の装置において、前記第一の受け部及び前記第二の受け部の少なくとも一方は、前記第一の締結具及び前記第二の締結具の少なくとも一方が８°以内の角度に亙って動くのを許容する形態とされる、装置。
【請求項３２】
請求項２６に記載の装置において、前記膨張部分は薄板ばねを備える、装置。
【請求項３３】
請求項３２に記載の装置において、前記薄板ばねは複数の曲がり部を備える、装置。
【請求項３４】
請求項２６に記載の装置において、前記膨張部分は複数の脚部を有するばねを備える、装置。
【請求項３５】
１つ又はより多くの脊柱側湾症に湾曲した脊柱の椎骨を伸延させる装置において、
第一の端部分であって、前記第一の締結具を受け入れて、前記第一の端部分を第一の脊柱側湾症の椎骨の後部部分に取り付ける開口部を画成する第一の受け部を有する前記第一の端部分と、
第二の端部分であって、前記第二の締結具を受け入れて、前記第二の端部分を第二の脊柱側湾症の椎骨の後部部分に取り付ける開口部を画成する第二の受け部を有する前記第二の端部分と、
前記第一の端部分と前記第二の端部分との間にあり、一方向への伸延力を提供する膨張部分とを備え、
前記第一の受け部及び前記第二の受け部の少なくとも一方は、前記第一の締結具又は前記第二の締結具が実質的一定の向きに保持されたとき、前記第一の端部分及び前記第二の端部分が前記第一の締結具及び前記第二の締結具に対して所定の程度、動くのを許容する形態とされる、１つ又はより多くの脊柱側湾症に湾曲した脊柱の椎骨を伸延させる装置。
【請求項３６】
請求項３５に記載の装置において、前記膨張部分は、前記第一の端部分と接続されたスリーブと、前記第二の端部分と接続されたロッドとを備え、該ロッドは、前記スリーブ内に可動に受け入れられる、装置。
【請求項３７】
請求項３６に記載の装置において、前記一方向への伸延力を提供すべく前記スリーブ内のばねを更に備える、装置。
【請求項３８】
請求項３５に記載の装置において、前記膨張部分の少なくとも一部分を取り囲むジャケ
ットを更に備える、装置。
【請求項３９】
請求項３５に記載の装置において、前記開口部は、前記第一の締結具及び前記第二の締結具が前記開口部内にて所定の程度、動くのを許容する寸法とされる、装置。
【請求項４０】
請求項３５に記載の装置において、前記開口部は、前記第一の締結具及び前記第二の締結具が前記開口部内にて所定の程度、動くのを許容し得るよう斜角面付きとされる、装置。
【請求項４１】
請求項３５に記載の装置において、前記第一の受け部及び前記第二の受け部の少なくとも一方は、可動の丸味を付けた部材を備え、前記第一の締結具及び前記第二の締結具の一方の動きを許容する形態とされる、装置。
【請求項４２】
請求項３５に記載の装置において、前記第一の受け部及び前記第二の受け部の少なくとも一方は、前記第一の締結具及び前記第二の締結具の一方の動きを制限するストッパを備える、装置。
【請求項４３】
請求項３５に記載の装置において、前記第一の受け部及び前記第二の受け部の少なくとも一方は、前記第一の締結具及び前記第二の締結具の少なくとも一方が８°以内の角度に亙って動くのを許容する形態とされる、装置。
【請求項４４】
１つ又はより多くの脊柱側湾症に湾曲した脊柱の椎骨を伸延させる装置において、
第一の開口部を有する第一の端部分と、
第二の開口部を有する第二の端部分と、
前記第一の端部分と前記第二の端部分との間にて伸延力を提供する手段とを備え、
前記第一の端部分及び前記第二の端部分の少なくとも一方は、締結具と接続する手段を備え、前記第一の端部分及び前記第二の端部分の前記少なくとも一方は、前記締結具が脊柱側湾症の椎骨の後部部分において実質的に一定の向きに保持されるとき、前記第一の端部分及び前記第二の端部分の前記少なくとも一方が前記締結具に対して所定の程度、動くのを許容する形態とされる、１つ又はより多くの脊柱側湾症に湾曲した脊柱の椎骨を伸延させる装置。
【請求項４５】
請求項４４に記載の装置において、伸延力を提供する前記手段は、前記第一の端部分と接続された中空のスリーブと、前記第二の端部分と接続されたロッドとを備え、前記ロッドは、前記スリーブ内に受け入れることのできる、装置。
【請求項４６】
請求項４５に記載の装置において、コイル巻きばねが前記中空のスリーブ内に配設される、装置。
【請求項４７】
請求項４４に記載の装置において、親水性ゲルを受け入れる貯蔵器が前記中空のスリーブに形成される、装置。
【請求項４８】
請求項４４に記載の装置において、伸延力を提供する前記手段は板ばねを備える、装置。
【請求項４９】
請求項４４に記載の装置において、伸延力を提供する前記手段はカムを備える、装置。
【請求項５０】
請求項４４に記載の装置において、伸延力を提供する前記手段は弾性材料を備える、装置。
【請求項５１】
請求項４４に記載の装置において、締結具と接続する前記手段は斜角面付き開口部を備
える、装置。
【請求項５２】
請求項４４に記載の装置において、締結具と接続する前記手段は丸味を付けた継手を備える、装置。
【請求項５３】
請求項４４に記載の装置において、締結具と接続する前記手段は、前記所定の程度の動きを許容すべく前記締結具に対して所定の寸法を有する開口部を備える、装置。
【請求項５４】
請求項４４に記載の装置において、前記装置に対する前記締結具の前記所定の程度の動きは２０°以下である、装置。
【請求項５５】
第一の脊柱側湾症の椎骨を第二の柱側湾状の椎骨から伸延させる方法において、
（ａ）前記第一の脊柱側湾症の椎骨及び前記第二の脊柱側湾症の椎骨に形成された湾曲部の凹状側部にて第一の締結具を前記第一の脊柱側湾症の椎骨の後部部分と接続し、第二の締結具を前記第二の脊柱側湾症の椎骨の後部部分と接続するステップと、
（ｂ）インプラントを前記第一の締結具及び前記第二の締結具と接続するステップと、
（ｃ）前記インプラントを前記第一の脊柱側湾症の椎骨と前記第二の脊柱側湾症の椎骨との間にて膨張させるステップと、
（ｄ）前記第一の締結具及び前記第二の締結具の少なくとも一方の前記インプラントに対する角度動作を許容するステップとを備える、第一の脊柱側湾症の椎骨を第二の脊柱側湾症の椎骨から伸延させる方法。
【請求項５６】
請求項５５に記載の方法において、複数の前記インプラントを端部同士を合わせた形態にて接続するステップを更に備える、方法。
【請求項５７】
請求項５５に記載の方法において、前記インプラントの寸法が生理学的成長に対応し得るよう変化するのを許容するステップを更に備える、方法。
【請求項５８】
請求項５５に記載の方法において、前記インプラントに対し減衰力を提供するステップを更に備える、方法。
【請求項５９】
請求項５５に記載の方法において、ジャケットを前記インプラントに取り付けるステップを更に備える、方法。
【請求項６０】
請求項５５に記載の方法において、前記第一の椎骨及び前記第二の椎骨の少なくとも一方に対し生物学的治療法を提供するステップを更に備える、方法。
【請求項６１】
請求項５５に記載の方法において、前記インプラントが前記第一の椎骨を前記第二の椎骨に向けて引っ張る接続材を形成するのを防止するのを更に備える、方法。
【請求項６２】
請求項５５に記載の方法において、前記第一の締結具及び前記第二の締結具の前記少なくとも一方の前記インプラントに対する８°以上の前記角度動作を防止するステップを更に備える、方法。
【請求項６３】
第一の脊柱側湾症の椎骨を第二の脊柱側湾症の椎骨から伸延させる方法において、
（ａ）第一の端部分と、該第一の端部分内に受け入れることができる第二の端部分とを有するインプラントを提供するステップと、
（ｂ）前記第一の脊柱側湾症の椎骨及び前記第二の脊柱側湾症の椎骨に形成された湾曲部の凹状側部にて前記第一の端部分を前記第一の脊柱側湾症の椎骨の後部部分と接続するステップと、
（ｃ）前記湾曲部の前記凹状側部にて前記第二の端部分を前記第二の脊柱側湾症の椎骨の後部部分と接続するステップと、
（ｄ）前記第一の脊柱側湾症の椎骨と、前記第二の脊柱側湾症の椎骨との間にて前記インプラントに対して偏倚力を提供するステップとを備える、第一の脊柱側湾症の椎骨を第二の脊柱側湾症の椎骨から伸延させる方法。
【請求項６４】
請求項６３に記載の方法において、前記第一の端部分を前記第一の脊柱側湾症の椎骨と接続するステップは、第一の締結具を前記第一の脊柱側湾症の椎骨と接続するステップを備える、方法。
【請求項６５】
請求項６４に記載の方法において、前記第二の端部分を前記第二の脊柱側湾症の椎骨と接続するステップは、第二の締結具を前記第二の脊柱側湾症の椎骨と接続するステップを備える、方法。
【請求項６６】
請求項６３に記載の方法において、前記第一の締結具及び前記第二の締結具の少なくとも一方の前記インプラントに対する角度動作を許容するステップを更に備える、方法。
【請求項６７】
請求項６６に記載の方法において、前記第一の締結具及び前記第二の締結具の前記少なくとも一方の前記インプラントに対する８°以上の前記角度動作を防止するステップを更に備える、方法。
【請求項６８】
請求項６３に記載の方法において、複数の前記インプラントを端部同士を合わせた形態にて接続するステップを更に備える、方法。
【請求項６９】
請求項６３に記載の方法において、前記インプラントの寸法が生理学的成長に対応し得るよう変化するのを許容するステップを更に備える、方法。
【請求項７０】
請求項６３に記載の方法において、前記インプラントに対し減衰力を提供するステップを更に備える、方法。
【請求項７１】
請求項６３に記載の方法において、ジャケットを前記インプラントに取り付けるステップを更に備える、方法。
【請求項７２】
請求項６３に記載の方法において、前記第一の脊柱側湾症の椎骨及び前記第二の脊柱側湾症の椎骨の少なくとも一方に対し生物学的治療法を提供するステップを更に備える、方法。
【請求項７３】
請求項６３に記載の方法において、前記インプラントが前記第一の脊柱側湾症の椎骨を前記第二の脊柱側湾症の椎骨に向けて引っ張る接続材を形成するのを防止するのを更に備える、方法。
【請求項７４】
第一の脊柱側湾症の椎骨を第二の脊柱側湾症の椎骨から伸延させる方法において、
（ａ）前記第一の脊柱側湾症の椎骨及び前記第二の脊柱側湾症の椎骨に形成された湾曲部の凹状側部にてインプラントを前記第一の脊柱側湾症の椎骨及び前記第二の脊柱側湾症の椎骨と接続するステップと、
（ｂ）前記インプラントを前記第一の脊柱側湾症の椎骨と前記第二の脊柱側湾症の椎骨との間にて膨張させるステップと、
（ｃ）前記インプラントが前記第一の脊柱側湾症の椎骨を前記第二の脊柱側湾症の椎骨に向けて引っ張る接続材を形成するのを防止するステップとを備える、第一の脊柱側湾症の椎骨を第二の脊柱側湾症の椎骨から伸延させる方法。
【請求項７５】
請求項７４に記載の方法において、前記インプラントを前記第一の脊柱側湾症の椎骨と接続するステップは、第一の締結具を前記第一の脊柱側湾症の椎骨と接続するステップを備える、方法。
【請求項７６】
請求項７５に記載の方法において、前記インプラントを前記第二の脊柱側湾症の椎骨と接続するステップは、第二の締結具を前記第二の脊柱側湾症の椎骨と接続するステップを備える、方法。
【請求項７７】
請求項７４に記載の方法において、前記第一の締結具及び前記第二の締結具の少なくとも一方の前記インプラントに対する角度動作を許容するステップを更に備える、方法。
【請求項７８】
請求項７７に記載の方法において、前記第一の締結具及び前記第二の締結具の前記少なくとも一方の前記インプラントに対する８°以上の前記角度動作を防止するステップを更に備える、方法。
【請求項７９】
請求項７４に記載の方法において、複数の前記インプラントを端部同士を合わせた形態にて接続するステップを更に備える、方法。
【請求項８０】
請求項７４に記載の方法において、前記インプラントの寸法が生理学的成長に対応し得るよう変化するのを許容するステップを更に備える、方法。
【請求項８１】
請求項７４に記載の方法において、前記インプラントに対し減衰力を提供するステップを更に備える、方法。
【請求項８２】
請求項７４に記載の方法において、ジャケットを前記インプラントに取り付けるステップを更に備える、方法。
【請求項８３】
請求項７４に記載の方法において、前記第一の脊柱側湾症の椎骨及び前記第二の脊柱側湾症の椎骨の少なくとも一方に対し生物学的治療法を提供するステップを更に備える、方法。
【請求項８４】
第一の脊柱側湾症の椎骨を第二の脊柱側湾症の椎骨から伸延させる方法において、
（ａ）前記第一の脊柱側湾症の椎骨及び前記第二の脊柱側湾症の椎骨に形成された湾曲部の凹状側部にてインプラントを前記第一の脊柱側湾症の椎骨の後部部分及び前記第二の脊柱側湾症の椎骨の後部部分と接続するステップと、
（ｂ）前記インプラントを前記第一の脊柱側湾症の椎骨と前記第二の脊柱側湾症の椎骨との間にて膨張させ、伸延力を提供するステップと、
（ｃ）生理学的成長に対応するよう前記インプラントの寸法が変化するのを許容するステップとを備える、第一の脊柱側湾症の椎骨を第二の脊柱側湾症の椎骨から伸延させる方法。
【請求項８５】
請求項８４に記載の方法において、前記インプラントを前記第一の脊柱側湾症の椎骨と接続するステップは、第一の締結具を前記第一の脊柱側湾症の椎骨と接続するステップを備える、方法。
【請求項８６】
請求項８５に記載の方法において、前記インプラントを前記第二の脊柱側湾症の椎骨と接続するステップは、第二の締結具を前記第二の脊柱側湾症の椎骨と接続するステップを備える、方法。
【請求項８７】
請求項８４に記載の方法において、前記第一の締結具及び前記第二の締結具の少なくとも一方の前記インプラントに対する角度動作を許容するステップを更に備える、方法。
【請求項８８】
請求項８７に記載の方法において、前記第一の締結具及び前記第二の締結具の前記少なくとも一方の前記インプラントに対する８°以上の前記角度動作を防止するステップを更に備える、方法。
【請求項８９】
請求項８４に記載の方法において、複数の前記インプラントを端部同士を合わせた形態にて接続するステップを更に備える、方法。
【請求項９０】
請求項８４に記載の方法において、前記インプラントに対し減衰力を提供するステップを更に備える、方法。
【請求項９１】
請求項８４に記載の方法において、ジャケットを前記インプラントに取り付けるステッ
プを更に備える、方法。
【請求項９２】
請求項８４に記載の方法において、前記第一の脊柱側湾症の椎骨及び前記第二の脊柱側湾症の椎骨の少なくとも一方に対し生物学的治療法を提供するステップを更に備える、方法。